(57)【要約】【課題】簡素な構成で、スタンディングパウチを自立した状態で位置固定し収容し得る、包装用容器を提供する。【解決手段】複数のスタンディングパウチＰを収容した状態でシュリンクラップＳを施されるための包装用容器１であって、底板２と、底板２の左右に立設された側板３，４とを有し、側板３，４の上辺に、シュリンクラップＳの収縮圧により包装用容器１の内側方向へ傾斜してそれぞれのスタンディングパウチＰの間に挟装され、スタンディングパウチＰの移動を規制するフラップ７を備えた。【選択図】図２
2008265807.tif 000002
【特許請求の範囲】
【請求項１】
複数のスタンディングパウチを収容した状態でシュリンクラップを施されるための包装用容器であって、底板と、該底板の左右に立設された側板とを有し、該側板の上辺に、シュリンクラップの収縮圧により上記包装用容器の内側方向へ傾斜してそれぞれのスタンディングパウチの間に挟装され、該スタンディングパウチの移動を規制するフラップを備えたことを特徴とする、包装用容器。
【請求項２】
前記側板に、前記底板と平行な破断部を備え、該破断部を破断することにより上下に分割可能に構成されたことを特徴とする、請求項１に記載の包装用容器。
【請求項３】
前記底板に、該底板に対し垂直に立設されスタンディングパウチ同士を仕切る仕切板を備えたことを特徴とする、請求項１または２に記載の包装用容器。
【発明の詳細な説明】
【技術分野】
【０００１】
本発明はパウチ等を収容するための包装用容器に係り、特に、シュリンクラップすることによりパウチ等を位置固定し、運搬時にパウチ等が定位置から移動することを防止し得る包装用容器に関する。
【背景技術】
【０００２】
従来から、レトルト食品、栄養補助食品、詰替え用洗剤等、流動物を主体とする内容物を収容するために、アルミニウム、合成樹脂等のフィルムを袋状に形成して成る軟質の容器が使用されている。中でも、図６に示すように、前後面１０１，１０２と底部１０３とを有し、内容物を収容した状態で底部１０３を下にして平面上に自立し得る、いわゆるスタンディングパウチＰが知られている。
【０００３】
このようなスタンディングパウチの多くはその上端に切り口１０４を有し、この切り口１０４を裂いて生じる開口から内容物を取り出し、もしくは他の容器等に注ぐように構成されている。そのため、切り口１０４付近が床面等に接触することは衛生上好ましくない。また通常、前面１０１及び後面１０２に商品名等の印刷がなされており、これを視認し得るようにするためにも、図６に示すように自立させた状態で運搬、陳列されることが望ましい。
【０００４】
通常、複数のパウチ等をまとめて一つのカートンとするためには、図７（Ａ）に示すような、収容されるパウチ等（図示省略）より高さの低い前後板１１１ａ，１１１ｂ、左右側板１１１ｃ，１１１ｄ及び底板１１２を有する包装用容器１１０や、図７（Ｂ）に示すような、パウチ等より高さの低い左右側板１２１ｃ，１２１ｄ及び底板１２２を有する包装用容器１２０、また、図７（Ｃ）に示すような、左右側板１３１ｃ，１３１ｄ、底板１３２及び天板１３３によりパウチ等の上下左右を包囲する包装用容器１３０などが使用され、これら包装用容器全体にシュリンクラップがなされた状態で運搬される。シュリンクラップとは、特許文献１に開示されているように、包装用容器に被収容物を収容した状態で、全体をプラスチックフィルムで覆い、このプラスチックフィルムを熱収縮させることにより囲繞保持する技術である。
【０００５】
また、複数のアンプル等を位置固定した状態で運搬するための包装用容器としては、特許文献２に開示されているように、側壁に隔離片を設け、この隔離片によって複数のパウチ等を仕切り、位置固定する包装用容器がある。
【特許文献１】実開昭６２−０６２６６５号公報
【特許文献２】実公平３−０３１７０５号公報
【発明の開示】
【発明が解決しようとする課題】
【０００６】
しかしながら、スタンディングパウチＰは、図６に示すようにその下部において厚みｔ１が大きく、すなわち容積が大きいのに比べ、その上部においては厚みｔ２が小さく、すなわち容積が小さいから、上述した包装用容器１１０，１２０にスタンディングパウチＰを自立した状態で収容し、その上からシュリンクラップＳを施すと、図８（Ａ），（Ｂ）に示すように、シュリンクラップＳの収縮によりスタンディングパウチＰが包装用容器１１０，１２０の中心方向へ倒れ込み、場合によっては斜めになり、また包装用容器１２０の左右側板１２１ｃ，１２１ｄは、スタンディングパウチＰが移動したことによりシュリンクラップＳの収縮に対する反力が働かなくなり、内側方向へ歪んでしまう。
【０００７】
また、包装用容器１３０にスタンディングパウチＰを自立した状態で収容し、その上からシュリンクラップＳを施すと、上述のようにスタンディングパウチＰの上部において厚みｔ１が小さいことにより図８（Ｃ）に示すように空間が生じ、運搬時の揺れや傾きによりスタンディングパウチＰが移動してしまい、位置固定することができない。
【０００８】
一方、上述した特許文献２に開示されているような、被収容物を位置固定する機構を備えた包装用容器によれば、シュリンクラップなしでも被収容物を位置固定でき、シュリンクラップを施した場合にも被収容物をそのままの状態で保持することができるが、この包装用容器はそもそもシュリンクラップされることを前提としたものではないから、側壁に隔離片を形成し、また隔離片にある程度の強度を持たせるためには、側壁を二重構造にしなければならず、包装用容器１１０，１２０，１３０に比べ、より多くの材料を要する。また、構造が複雑であり、折り部分も多いため、より多くの工程及び加工機械が必要となる。
【０００９】
本発明は、上記問題点に鑑みてなされたものであり、簡素な構成で、スタンディングパウチを自立した状態で位置固定しつつ収容し得る、包装用容器を提供することを目的とする。
【課題を解決するための手段】
【００１０】
上記目的を達成するため、本発明は、複数のスタンディングパウチを収容した状態でシュリンクラップを施されるための包装用容器であって、底板と、この底板の左右に立設された側板とを有し、この側板の上辺に、シュリンクラップの収縮圧により包装用容器の内側方向へ傾斜してそれぞれのスタンディングパウチの間に挟装され、これらのスタンディングパウチの移動を規制するフラップを備えたことを特徴とする。
【００１１】
包装用容器は、側板に、底板と平行な破断部を備え、この破断部を破断することにより上下に分割可能に構成されていてもよい。
【００１２】
また、包装用容器は、底板に、この底板に対し垂直に立設されスタンディングパウチ同士を仕切る仕切板を備えていれば好ましい。
【発明の効果】
【００１３】
本発明の包装用容器によれば、スタンディングパウチを収容した状態でシュリンクラップを施すことにより、シュリンクラップの収縮圧でフラップが包装用容器の内側方向へ傾斜してそれぞれのスタンディングパウチの間に挟装され、これらのスタンディングパウチの移動を規制するから、スタンディングパウチを自立した状態で位置固定し収容することができる。
【００１４】
側板に破断部を備える場合は、シュリンクラップを除去した状態で破断部を破断し、上部分を取り去れば下部分がトレーとなり、そのまま商品として陳列することができる。
【００１５】
底板に仕切板を備える場合は、この仕切板によってスタンディングパウチの下部が水平方向に移動することを防ぐことができる。
【発明を実施するための最良の形態】
【００１６】
以下、本発明の好ましい実施の形態を、添付図面を参照しながら詳細に説明する。図１乃至図５は本実施形態の包装用容器１を示す。包装用容器１は、図３に展開して示すような一枚の厚紙を折り曲げ、紙片が重なる部分において適宜接着することにより図１に斜視図として示すように形成される。
【００１７】
包装用容器１は、図１に示すように組み立てられた状態において、底板２と、底板２の左右に立設された左右側板３，４と、底板２の奥，手前に立設された奥，手前の立板５，６と、を有し、左右側板３，４はその上辺に複数のフラップ７を備える。
【００１８】
図２に示すように複数のスタンディングパウチＰを自立した状態で収容し、その上から全体にシュリンクラップＳを施すと、フラップ７がシュリンクラップＳの収縮圧により包装用容器１の内側方向へ傾斜してそれぞれのスタンディングパウチＰの間に挟装され、該スタンディングパウチＰの移動を規制する。
【００１９】
包装用容器１は、展開状態においては図３に示すように一枚の厚紙であり、長方形の底板２と、図において該底板２の左右に位置する左右側板３，４と、図において底板２の上下に位置する奥，手前の立板５，６とを有し、左右側板３，４は図においてその左右に複数のフラップ７を備える。それぞれの部分の接辺には折り線が設けられている。
【００２０】
底板２は、その中央付近に仕切板２１を備える。仕切板２１は立設されることでスタンディングパウチＰ同士の間に挟まれてこれらを仕切る略台形の片部材である。詳細には、底板２の中央付近において、台形の上辺及び左右辺に相当する部分にわたる切り込み２１ａと、底辺に相当する部分の折り線２１ｂとが設けられ、切り込み２１ａによって生じた台形部分を底板２に対して垂直に起立することで仕切板２１が形成される。
【００２１】
左右側板３，４は、その高さｈ１が収容されるスタンディングパウチＰの高さより少し低く、高さ方向中央付近に底板２と平行な破断部３１，４１を備え、該破断部３１，４１を破断することにより上部３ａ，４ａと下部３ｂ，４ｂとに分割可能に構成されている。破断部４１は、本実施形態においては一本のミシン目状の切取り線であるが、二本のミシン目と、これらにより画成される帯状部分とから成るジッパ（図示省略）であってもよい。下部３ｂ，４ｂの側辺（図３における下部３ｂ，４ｂの上下）には、折込み片３２ａ，３２ｂ，４２ａ，４２ｂが設けられる。
【００２２】
また左右側板３，４は、その上辺（図３においてはその左右）に複数のフラップ７を連接している。フラップ７は間装フラップ７１と端部フラップ７２とに分類される。間装フラップ７１は左右側板３，４の上辺にその底辺を接して設けられた台形の片部材であり、スタンディングパウチＰの数（図において８個）より１少ない数（７枚）が、スタンディングパウチＰ同士の間となる位置に設けられる。端部フラップ７２は間装フラップ７１を底板２と垂直な方向の線で二分割したような形状の片部材であり、４つの端部フラップ７２が、それぞれ左右側板３，４の上辺の両端部に設けられる。
【００２３】
さらに左右側板３，４は、その底辺（底板２と接する辺）に複数の切抜き８を備えている。切抜き８はスタンディングパウチＰの底部周辺を固定するための半楕円形状の穴であり、スタンディングパウチＰの下側部に相当する位置に、スタンディングパウチＰの数（図において８個）だけ設けられる。
【００２４】
奥，手前の立板５，６は、その高さｈ２が下部３ｂ，４ｂと同程度に構成される長方形部分である。
【００２５】
包装用容器１の組立てに際しては、左右側板３，４及び奥，手前の立板５，６を底板２に対して垂直となるように起立させ、折込み片３２ａ，４２ａ及び３２ｂ，４２ｂを奥の立板５及び手前の立板６に重ね合わせて、接着する。これにより、左右側板３，４と奥，手前の立板５，６とが底板２に対し垂直に起立した状態で相互に固定され有底の箱体が形成される。
【００２６】
包装用容器１にスタンディングパウチＰを収容する際には、まず、仕切板２１を、折り線２１ｂを谷折りすることにより底板２に対し垂直に起立させる。続いて、複数（本実施形態においては８個）のスタンディングパウチＰを包装用容器１の上部から箱体内に入れ、底板２上に安置する。この際、仕切板の両側に４個ずつのスタンディングパウチＰを置くと共に、スタンディングパウチＰの下側部を切抜き８に嵌め、その端を包装用容器１外に多少露出させることで、スタンディングパウチＰの底部がずれることを防ぐことができる。
【００２７】
このようにスタンディングパウチＰを包装用容器１に収容した状態で、全体にシュリンクラップを施す。すると、図２及び図４に示すように、シュリンクラップＳは収縮し、シュリンクラップＳの収縮圧によりフラップ７が包装用容器１の内側方向へ傾斜し、間装フラップ７１がそれぞれのスタンディングパウチＰの間に挟装されると共に、端部フラップ７２が両端に位置するスタンディングパウチＰの外側に当接する。これにより、スタンディングパウチＰの上部が保持され、その移動が規制される。そのため、シュリンクラップＳの収縮圧によりスタンディングパウチＰが包装用容器１の内側に倒れ込んでしまうこともなく、またこのような状態でスタンディングパウチＰを収容した包装用容器１を運搬した場合であっても、揺れや傾きなどの外部からの力によりスタンディングパウチＰが飛び出したり、倒れたり、移動したりすることがない。
【００２８】
以上のようにしてスタンディングパウチＰを収容した包装用容器１を運搬した後、陳列する際には、まずシュリンクラップＳを取り去った後、破断部３１，４１を破断して上部３ａ，４ａを取り除く。これにより、図５に示すように、底板２と下部３ｂ，４ｂと奥，手前の立板５，６とにより形成されるトレー状の箱体が形成される。この箱体内にスタンディングパウチＰの上部半分ほどが露出して格納されている状態となるから、この状態で陳列し、販売することができる。
【００２９】
以上説明したように、本発明の包装用容器は、フラップがシュリンクラップの収縮圧により包装用容器の内側方向へ傾斜してそれぞれのスタンディングパウチの間に挟装され、これらのスタンディングパウチの移動を規制するよう構成されたものであって、その主旨を逸脱しない範囲において材質、形状等に様々な変更を加えた形態で実施することができる。例えば、包装用容器は厚紙の他、樹脂素材、段ボール等で成っていてもよく、破断部、仕切板、切り抜きを備えないものであってもよい。仕切板２１は単一個だけでなく、複数個を適宜の間隔で設け得ることは言うまでもない。
【産業上の利用可能性】
【００３０】
本発明の包装用容器は、レトルト食品、栄養補助食品、詰替え用洗剤等、流動物を主体とする内容物を収容するために、アルミ、合成樹脂等のフィルムを袋状に形成して成るスタンディングパウチに使用することができる。
【図面の簡単な説明】
【００３１】
【図１】本発目の実施形態に係る包装用容器を示す斜視図である。
【図２】図１の包装用容器にスタンディングパウチを収容し、シュリンクラップを施した状態を示す斜視図である。
【図３】図１の包装用容器を示す展開図である。
【図４】図２のシュリンクラップを施した状態を示し、（Ａ）は正面図、（Ｂ）は断面図、（Ｃ）は平面図である。
【図５】図１の包装用容器にスタンディングパウチを収容し、上部を取り外した状態を示す斜視図である。
【図６】スタンディングパウチを示す斜視図である。
【図７】（Ａ），（Ｂ），（Ｃ）はそれぞれ、従来例の包装用容器を示す斜視図である。
【図８】（Ａ），（Ｂ），（Ｃ）はそれぞれ、図７（Ａ），（Ｂ），（Ｃ）の包装用容器にシュリンクラップを施した状態を示す斜視図である。
【符号の説明】
【００３２】
１  包装用容器
２  底板
３  左側板
４  右側板
３ａ，４ａ  上部
３ｂ，４ｂ  下部
５  奥の立板
６  手前の立板
７  フラップ
２１  仕切板
２１ａ  切り込み
２１ｂ  折り線
３１，４１  破断部
３２ａ，３２ｂ，４２ａ，４２ｂ  折込み片
７１  間装フラップ
７２  端部フラップ
１１０，１２０，１３０  従来の包装用容器
１０１  前面
１０２  後面
１０３  底部
１０４  切り口
１１１ａ  前板
１１１ｂ  後板
１１１ｃ，１２１ｃ，１３１ｃ  左側板
１１１ｄ，１２１ｄ，１３１ｄ  右側板
１１２，１２２，１３２  底板
１３３  天板
ｔ１，ｔ２  厚み
ｈ１，ｈ２  高さ
Ｐ  スタンディングパウチ
Ｓ  シュリンクラップ
.
【図１】
2008265807.tif 000003
【図２】
2008265807.tif 000004
【図３】
2008265807.tif 000005
【図４】
2008265807.tif 000006
【図５】
2008265807.tif 000007
【図６】
2008265807.tif 000008
【図７】
2008265807.tif 000009
【図８】
2008265807.tif 000010